(57)【要約】【課題】  少ない部品点数で損失が少なく、負荷の急変や出力端子間に接続された外部機器にかかわらず、貫通電流や自励発振を防止することができるフライバック式の同期整流スイッチング電源装置を提供する。【解決手段】  インバータトランジスタＱ１が入力端子１１，１２間に設けられ、２次巻線Ｎ２と出力端子１３，１４との間に同期整流用素子ＴＲ１を有する。インバータトランジスタＱ１のスイッチングにより充電される別電源１６と、同期整流用素子ＴＲ１をインバータトランジスタＱ１と相補的にオン・オフさせる制御回路１８と、同期整流用素子ＴＲ１をオフさせるスイッチ素子ＴＲ２を備える。別電源１６は、補助巻線Ｎ３により充電されるコンデンサＣ６を備える。別電源１６の出力電圧と出力端子１３の出力電圧とを比較して別電源１６の出力電圧が一定値以下に低下した場合に、同期整流用素子ＴＲ１をオフさせるトランジスタＴＲ３を有する。【選択図】図１
2006121819.tif 000002
【特許請求の範囲】
【請求項１】
一定の周期内でオン・オフするインバータトランジスタがトランスの１次巻線と直列に接続されて入力端子間に設けられ、前記トランスの２次巻線と出力端子との間に直列に接続された同期整流用素子を有するとともに、前記インバータトランジスタのスイッチングにより所定電位に充電される別電源と、前記同期整流用素子を前記インバータトランジスタと相補的にオン・オフさせる制御回路と、前記同期整流用素子をオフさせるスイッチ素子を備えたフライバック式の同期整流スイッチング電源装置において、
前記インバータトランジスタのスイッチングによりパルス電圧を発生させる補助巻線を設け、前記別電源は前記補助巻線によるパルス電圧により所定電位に充電されるコンデンサを備え、前記別電源の出力電圧と前記出力端子の出力電圧とを比較して前記別電源の出力電圧が一定値以下に低下した場合に、前記スイッチ素子により前記同期整流用素子をオフさせるスイッチ素子制御手段を備えたことを特徴とする同期整流スイッチング電源装置。
【請求項２】
前記スイッチ素子制御手段はＰＮＰトランジスタからなり、前記別電源の出力を前記ＰＮＰトランジスタのベースに接続し、前記ＰＮＰトランジスタのエミッタをこの電源装置の出力端子に接続し、前記ＰＮＰトランジスタのコレクタを、この電源装置の同期整流駆動タイミングを制御するタイミングコンデンサに接続したことを特徴とする請求項１記載の同期整流スイッチング電源装置。
【請求項３】
前記別電源とこの電源装置の出力との間に直列に複数の抵抗を設け、前記ＰＮＰトランジスタのベースを前記抵抗間に接続したことを特徴とする請求項２記載の同期整流スイッチング電源装置。
【請求項４】
前記別電源は、ツェナーダイオードと第一のコンデンサの並列回路を有し、前記補助巻線のドットの無い側に一端が接続された第二のコンデンサと、前記２次巻線のドットの無い側にアノードが接続された第一のダイオードを備え、前記第二のコンデンサの他端と前記第一のダイオードのカソードが接続されて直列回路が形成され、この直列回路の中点が、第二のダイオードのアノードに接続され、前記第二のダイオードのカソードが抵抗を介して前記第一のコンデンサに接続され、前記第一のコンデンサには、この電源装置の出力電圧と前記補助巻線に発生するパルス電圧とが加算されて充電されることを特徴とする請求項１記載の同期整流スイッチング電源装置。
【発明の詳細な説明】
【技術分野】
【０００１】
この発明は、直流入力電圧を所望の電圧に変換し、電子機器に供給するスイッチング電源であって、特にフライバック式の同期整流スイッチング電源装置に関する。
【背景技術】
【０００２】
従来の同期整流型の整流回路を備えたフライバック式のスイッチング電源装置として、例えば図３に示すような電源装置があった。このスイッチング電源装置の電源回路１０は、直流電源の入力端子１１，１２と並列に入力コンデンサＣ１が設けられ、入力コンデンサＣ１の両端に、トランスＴの１次巻線Ｎ１とインバータトランジスタＱ１より成る直列回路が接続されている。トランスＴの１次巻線Ｎ１はドットのある方が入力端子１１に接続され、ドットの無い方がインバータトランジスタＱ１に接続されている。インバータトランジスタＱ１は、ＭＯＳ−ＦＥＴ等の半導体スイッチ素子からなる。トランスＴの２次巻線Ｎ２は、ドットのない方の端子が出力端子１３に接続され、ドットのある方の端子には、ＭＯＳ−ＦＥＴ等の同期整流用素子ＴＲ１が直列に設けられて、基準電位側の出力端子１４に接続されている。さらに、出力端子１３，１４間には、平滑用の出力コンデンサＣ２が設けられている。
【０００３】
同期整流用素子ＴＲ１のドレイン−ソース間には、２次側に設けられた別電源１６が接続されている。別電源１６は、同期整流用素子ＴＲ１のドレインに一端が接続されたコンデンサＣ５を備え、コンデンサＣ５の他端が抵抗Ｒ３の一端に接続され、抵抗Ｒ３の他端はツェナーダイオードＺＤ１のカソードに接続され、ツェナーダイオードＺＤ１のアノードが基準電位に接続されている。さらに、抵抗Ｒ３の他端はダイオードＤ３のアノードに接続され、ダイオードＤ３のカソードが、別電源１６の充電用のコンデンサＣ６を介して基準電位に接続されている。そして、ダイオードＤ３のカソードとコンデンサＣ６の中点が、この別電源１６の出力となっている。
【０００４】
トランスＴの２次側には、同期整流用素子ＴＲ１の駆動手段としての補助巻線Ｎ３が設けられ、この補助巻線Ｎ３のドットを付した側の端子が基準電位に接続され、ドットのない側の端子は、スピードアップ用のコンデンサＣ４を介して同期整流用素子ＴＲ１のゲートに接続されている。さらに、補助巻線Ｎ３のドットのない側の端子は、ダイオードＤ１のカソードに接続され、ダイオードＤ１のアノードが抵抗Ｒ１、タイミングコンデンサＣ３の直列回路を経て基準電位に接続されている。抵抗Ｒ１とタイミングコンデンサＣ３の中点は、別電源１６のダイオードＤ３のカソードとコンデンサＣ６の中点に、抵抗Ｒ２を介して接続されている。さらに、抵抗Ｒ１とコンデンサＣ３の中点は、ＮＰＮ型のトランジスタＴＲ２のベースに接続されている。トランジスタＴＲ２のコレクタは、同期整流用素子ＴＲ１のゲートに接続され、エミッタは基準電位に接続されている。また、同期整流用素子ＴＲ１のゲートには、ダイオードＤ２のカソードが接続され、ダイオードＤ２のアノードが基準電位に接続されている。
【０００５】
このスイッチング電源装置の電源回路１０の動作は、ＭＯＳ−ＦＥＴのインバータトランジスタＱ１を、図示しない制御回路によりオン・オフしＰＷＭ（Pulse Width Modulation）制御する。インバータトランジスタＱ1のオン期間には、２次側の同期整流用素子ＴＲ１はオフしており電流は流れず、２次巻線Ｎ２に発生する電圧で別電源１６のコンデンサＣ６がコンデンサＣ５を介して充電される。充電電圧は、ツェナーダイオードＺＤ１により設定される電圧である。また、インバータトランジスタＱ１のオン期間に、補助巻線Ｎ３によりコンデンサＣ４がダイオードＤ２のカソード側をプラスにして充電される。
【０００６】
次に、インバータトランジスタＱ１がオフすると、同期整流用素子ＴＲ１のゲートには、補助巻線Ｎ３のドットのない側の端子の電圧にコンデンサＣ４の充電電圧が加えられて充電され、同期整流用素子ＴＲ１がオンする。これにより、２次巻線Ｎ２に発生するフライバック電圧により、２次巻線Ｎ２に蓄えられたエネルギーが出力コンデンサＣ２に充電される。
【０００７】
また、インバータトランジスタＱ１がオフすると同時に、別電源１６によりタイミングコンデンサＣ３の充電が抵抗Ｒ２を介して開始される。そして、タイミングコンデンサＣ３の電位が次第に上昇し、トランジスタＴＲ２がオンする電位に達すると、トランジスタＴＲ２がオンし同期整流用素子ＴＲ１のゲートの電荷を放電して、同期整流用素子ＴＲ１をオフする。トランジスタＴＲ２がオンするタイミングは、インバータトランジスタＱ１がオンする前のタイミングに設定される。そしてインバータトランジスタＱ１がオンすると、再び別電源１６のコンデンサＣ６の充電が開始するとともに、タイミングコンデンサＣ３が抵抗Ｒ１、ダイオードＤ１を経て放電する。以上の動作を繰り返して、このスイッチング電源装置の電源回路１０は、インバータトランジスタＱ１と同期整流用素子ＴＲ１が同時にオンすることなく、同期整流動作を行い、出力側に電力を供給する。
【０００８】
また、特許文献１に開示された電源装置も、同様にインバータトランジスタと同期整流用素子が同時にオンしないように、同期整流用素子を強制的にオフさせる遮断回路を備えたものである。
【特許文献１】特開２０００−１１６１２２号公報
【発明の開示】
【発明が解決しようとする課題】
【０００９】
このフライバック式の同期整流スイッチング電源装置の場合、同期整流用素子ＴＲ１のオフタイミングがずれて、２次側の同期整流用素子ＴＲ１がオン状態のままインバータトランジスタＱ１がオンすると、２次側の回路がショートした状態となり、インバータトランジスタＱ１に大きなサージ電流が流れてしまい、インバータトランジスタＱ１や同期整流用素子ＴＲ１等の破壊に至る場合がある。
【００１０】
例えば、出力に接続された負荷が、重負荷から軽負荷に急激に変化し、インバータトランジスタＱ１がスイッチングを停止すると、別電源１６のコンデンサＣ６の電圧が必要な電圧以下に低下してしまう場合がある。これにより、次にインバータトランジスタＱ１がスイッチングを開始したときに、同期整流用素子ＴＲ1がオンしている期間の別電源１６によるコンデンサＣ３の充電が遅れ、インバータトランジスタＱ１がオンする前にトランジスタＴＲ２がオンせず、従って同期整流用素子ＴＲ１をオフできない場合が生じ、電源回路に貫通電流が流れてしまうというものである。
【００１１】
また、出力電圧端子１３，１４間に外部から設定電圧以上の電圧が印加された場合や、出力端子間に外部の大容量のコンデンサを付けたときの電源停止時にも、２次側の同期整流用素子をオフできずに貫通電流が流れたり、出力端子間に接続された大容量の外部コンデンサの電力により、２次側の回路で自励発振したりするという問題もあった。
【００１２】
さらに、別電源１６の充電が２次巻線Ｎ２により行われるので、出力効率を低下させ、出力の短絡時等には別電源１６の電圧が確保できないという問題もあった。
【００１３】
この発明は、前記の従来の技術の問題点に鑑みてなされたもので、少ない部品点数で、負荷の急変や出力端子間に接続された外部機器にかかわらず、貫通電流や自励発振を防止することができるフライバック式の同期整流スイッチング電源装置を提供することを目的とする。
【課題を解決するための手段】
【００１４】
この発明は、一定の周期内でオン・オフするインバータトランジスタがトランスの１次巻線と直列に接続されて入力端子間に設けられ、前記トランスの２次巻線と出力端子との間に直列に接続された同期整流用素子を有するとともに、前記インバータトランジスタのスイッチングにより所定電位に充電される別電源と、前記同期整流用素子を前記インバータトランジスタと相補的にオン・オフさせる制御回路と、前記同期整流用素子をオフさせるスイッチ素子を備えたフライバック式の同期整流スイッチング電源装置であって、前記インバータトランジスタのスイッチングによりパルス電圧を発生させる補助巻線を前記トランスの２次側に設け、前記別電源は前記補助巻線によるパルス電圧により所定電位に充電されるコンデンサを備え、前記別電源の出力電圧と前記出力端子の出力電圧とを比較して前記別電源の出力電圧が一定値以下に低下した場合に、前記スイッチ素子により前記同期整流用素子をオフさせるトランジスタ等のスイッチ素子制御手段を備えた同期整流スイッチング電源装置である。
【００１５】
前記スイッチ素子制御手段はＰＮＰトランジスタからなり、前記別電源の出力を前記ＰＮＰトランジスタのベースに接続し、前記ＰＮＰトランジスタのエミッタをこの電源装置の出力端子に接続し、前記ＰＮＰトランジスタのコレクタを、この電源装置の同期整流駆動タイミングを制御するタイミングコンデンサに接続したものである。さらに、前記別電源とこの電源装置の出力との間に直列に複数の抵抗を設け、前記ＰＮＰトランジスタのベースを前記抵抗間に接続しても良い。
【００１６】
また、前記別電源は、ツェナーダイオードと第一のコンデンサの並列回路を有し、前記補助巻線のドットの無い側に一端が接続された第二のコンデンサと、前記２次巻線のドットの無い側にアノードが接続された第一のダイオードを備え、前記第二のコンデンサの他端と前記第一のダイオードのカソードが接続されて直列回路が形成され、この直列回路の中点が、第二のダイオードのアノードに接続され、前記第二のダイオードのカソードが抵抗を介して前記第一のコンデンサに接続され、前記第一のコンデンサには、この電源装置の出力電圧と前記補助巻線に発生するパルス電圧とが加算されて充電されるものである。
【発明の効果】
【００１７】
この発明の同期整流スイッチング電源装置は、負荷の急変による貫通電流や、電源停止時又は外部電圧印加時に自励発振するという現象を確実に防止することができ、電源装置の構成部品の小型化を可能にし、電源装置全体の小型化や低コスト化に大きく寄与するものである。
【００１８】
さらに、請求項４記載の発明によれば、広い入力範囲で損失を少なく抑えることができ、出力の立ち上がりよりも早く別電源を立ち上げることができ、確実に動作させることができる。また、出力の短絡時にも別電源の電圧を確保することができる。
【発明を実施するための最良の形態】
【００１９】
以下、この発明の実施の形態について図面に基づいて説明する。図１は、この発明の第一実施形態のフライバック式の同期整流スイッチング電源装置の電源回路２０を示すもので、図３に示す電源回路１０と同様の構成は同一の符号を付す。この電源回路２０は、直流電源の入力端子１１，１２と並列に入力コンデンサＣ１が設けられ、入力コンデンサＣ１の両端に、トランスＴの１次巻線Ｎ１とインバータトランジスタＱ１より成る直列回路が接続されている。トランスＴの１次巻線Ｎ１はドットのある方が入力端子１１に接続され、ドットの無い方がインバータトランジスタＱ１に接続されている。インバータトランジスタＱ１はＭＯＳ−ＦＥＴ等の半導体スイッチ素子からなる。
【００２０】
トランスＴの２次巻線Ｎ２は、ドットのない方の端子が出力端子１３に接続され、ドットのある方の端子には、ＭＯＳ−ＦＥＴ等の同期整流用素子ＴＲ１が直列に設けられて、基準電位側の出力端子１４に接続されている。さらに、出力端子１３，１４間には、平滑用の出力コンデンサＣ２が設けられている。
【００２１】
トランスＴの２次側には、同期整流用素子ＴＲ１の駆動手段としての補助巻線Ｎ３が設けられ、この補助巻線Ｎ３のドットを付した側の端子が基準電位に接続され、ドットのない側の端子は、スピードアップ用のコンデンサＣ４を介して同期整流用素子ＴＲ１のゲートに接続されている。さらに、補助巻線３のドットのない側の端子は、ダイオードＤ１のカソードに接続され、ダイオードＤ１のアノードが抵抗Ｒ１、タイミングコンデンサＣ３の直列回路を経て基準電位に接続されている。抵抗Ｒ１とタイミングコンデンサＣ３の中点は、後述する別電源１６の抵抗Ｒ３とコンデンサＣ６の中点に、抵抗Ｒ２を介して接続されている。さらに、抵抗Ｒ１とコンデンサＣ３の中点は、ＮＰＮ型のトランジスタＴＲ２のベースに接続されている。トランジスタＴＲ２のコレクタは、同期整流用素子ＴＲ１のゲートに接続され、エミッタは基準電位に接続されている。また、同期整流用素子ＴＲ１のゲートには、ダイオードＤ２のカソードが接続され、ダイオードＤ２のアノードが基準電位に接続されている。
【００２２】
出力端子１３，１４間には、２次側に設けられた別電源１６が設けられ、この別電源１６はコンデンサＣ５を備え、コンデンサＣ５の一端が、補助巻線Ｎ３のドットのない側の端子に接続されている。コンデンサＣ５の他端は、直列に接続されたダイオードＤ４のカソードとダイオードＤ３のアノードに接続され、ダイオードＤ４のアノードが２次巻線Ｎ２のドットのない端子に接続されている。また、ダイオードＤ３のカソードは、抵抗Ｒ３の一端に接続され、抵抗Ｒ３の他端はツェナーダイオードＺＤ１のカソードに接続され、ツェナーダイオードＺＤ１のアノードが基準電位に接続されている。さらに、抵抗Ｒ３の他端は、コンデンサＣ６を介して基準電位に接続されている。そして、抵抗Ｒ３とコンデンサＣ６の中点が、この別電源１６の出力となっている。
【００２３】
出力端子１３とトランジスタＴＲ２のベースとの間には、スイッチ素子制御手段であるＰＮＰ型のトランジスタＴＲ３が接続されている。トランジスタＴＲ３は、エミッタが出力端子１３に接続され、コレクタが抵抗Ｒ４を介してトランジスタＴＲ２のベースに接続されている。トランジスタＴＲ３のベースは、別電源１６の出力である抵抗Ｒ３とコンデンサＣ６の中点に接続されている。
【００２４】
このスイッチング電源装置の動作は、インバータトランジスタＱ１を制御回路１８によりオン・オフしＰＷＭ制御する。インバータトランジスタＱ1のオン期間には、同期整流用素子ＴＲ１はオフしており電流は流れず、コンデンサＣ３の電圧は、抵抗Ｒ１、ダイオードＤ１を通して放電される。また、インバータトランジスタＱ１のオン期間に、補助巻線Ｎ３によりコンデンサＣ４がダイオードＤ２のカソード側をプラスにして充電される。
【００２５】
インバータトランジスタＱ１がオフすると、同期整流用素子ＴＲ１のゲートには、補助巻線Ｎ３のドットのない側の端子の電圧にコンデンサＣ４の充電電圧が加えられて充電され、同期整流用素子ＴＲ１がオンする。同時に、２次巻線Ｎ２に発生するフライバック電圧により、２次巻線Ｎ２に蓄えられたエネルギーが出力コンデンサＣ２に充電される。また、別電源１６のコンデンサＣ６が、補助巻線Ｎ３に発生する電圧によりコンデンサＣ５等を介して充電される。ここで、コンデンサＣ５は、この電源回路２０の出力電圧によりダイオードＤ４を介して充電されているので、インバータトランジスタＱ１がオフすると、コンデンサＣ６には、コンデンサＣ５の電圧と補助巻線Ｎ３に発生するフライバック電圧が加算されて充電される。そして、コンデンサＣ６の充電電圧は、ツェナーダイオードＺＤ１により設定される。
【００２６】
また、インバータトランジスタＱ１がオフすると同時に、別電源１６によりタイミングコンデンサＣ３の充電が抵抗Ｒ２を介して開始される。そして、タイミングコンデンサＣ３の電位が次第に上昇し、トランジスタＴＲ２がオンする電位に達すると、トランジスタＴＲ２がオンし同期整流用素子ＴＲ１のゲートの電荷を放電して、同期整流用素子ＴＲ１をオフする。トランジスタＴＲ２がオンするタイミングは、インバータトランジスタＱ１がオンする前のタイミングに設定される。そしてインバータトランジスタＱ１がオンすると、再び別電源１６のコンデンサＣ６の充電が開始するとともに、コンデンサＣ３の電圧は、抵抗Ｒ１とダイオードＤ１を経て放電する。
【００２７】
ここで、負荷の急激な変化により出力電圧が設定電圧以上に上昇してしまった場合等には、制御回路１８の制御により、インバータトランジスタＱ１はオフした状態がしばらく続き、別電源１６の電圧が所定の電圧値以下に低下してしまうことがある。別電源１６が所定値以下に低下すると、別電源１６のコンデンサＣ６の電位がベースに印加されたトランジスタＴＲ３がオンし、トランジスタＴＲ２をオンさせるとともに、抵抗Ｒ４を介してタイミングコンデンサＣ３を充電する。これにより同期整流用素子ＴＲ１のゲート電荷が放電され、同期整流用素子ＴＲ１はオフする。トランジスタＴＲ３がオンしている間、すなわち、別電源１６のコンデンサＣ６の電位が所定電位以下である間は、トランジスタＴＲ２がオンし、同期整流用素子ＴＲ１はオフしている。また、この間にインバータトランジスタＱ１がスイッチングをはじめると、同期整流用素子ＴＲ１はそのボディーダイオードによる整流を行う。そして、別電源１６の充電が設定値以上になると、トランジスタＴＲ３はオフし、上述の通常動作となる。
【００２８】
以上の動作を繰り返して、この電源回路２０は、インバータトランジスタＱ１と同期整流用素子ＴＲ１が同時にオンすることなく、同期整流動作を行い、出力側に電力を供給する。
【００２９】
この実施形態のスイッチング電源装置によれば、負荷の急変によりインバータトランジスタＱ１が停止した後、スイッチングを再開した場合にも、トランジスタＴＲ３により同期整流用素子ＴＲ１を確実にオフさせ、別電源１６の出力電圧が所定値以上となり、タイミングコンデンサＣ３及びトランジスタＴＲ２により正常に且つ確実に同期整流用素子ＴＲ１を駆動可能となるまで、同期整流用素子ＴＲ１をオンさせないようにしている。これによって貫通電流が電源回路２０に流れることがなく、回路素子の損傷等を確実に防止することができる。さらに、別電源１６への充電がトランジスタＴＲ３を介しても行われるため、別電源１６の復帰も早い。
【００３０】
また、出力端子１３，１４間に外部の装置により設定電圧よりも高い電圧がかかった場合も、インバータトランジスタＱ１が停止し、別電源１６の出力電圧は低下する。この場合も、前記と同様に別電源１６の電位の低下によりトランジスタＴＲ３がオンし、トランジスタＴＲ２により同期整流用素子ＴＲ１をオフ状態にし、外部電源の印加による自励発振を防止する。
【００３１】
さらに、出力端子１３，１４間の外部装置として大容量のコンデンサを接続した状態で、リモコンや入力電圧の遮断によりインバータトランジスタＱ１が動作を停止した場合にも、２次側の別電源１６の電圧は低下し、同期整流用素子ＴＲ１がオフさせられる。これにより、出力端子１３，１４間の外部の大容量コンデンサに蓄えられたエネルギーによる自励発振を防止することができ、さらに、大容量コンデンサに貯えられたエネルギーを抵抗Ｒ４で消費させ、速やかに出力電圧を低下させる。
【００３２】
さらに、この実施形態の電源回路２０の構成により、１次側の広い入力範囲に対応可能であり、コンデンサＣ５の容量を適宜選択して損失を少なく抑えることができる。また、補助巻線Ｎ３により、電源回路２０の出力の立ち上がりよりも早く別電源１６を立ち上げることができ、確実に動作させることができる。また、出力の短絡時にも別電源１６の電圧を確保することができる。
【００３３】
次にこの発明の第二実施形態の同期整流スイッチング電源装置について、図２を基にして説明する。ここで、上記実施形態と同様の部材は同一符号を付して説明を省略する。この実施形態は、別電源１６の出力と出力端子１３との間に、抵抗Ｒ５，Ｒ６の直列回路を設け、抵抗Ｒ５，Ｒ６の中点をトランジスタＴＲ３のベースに接続したものである。
【００３４】
この実施形態では、同期整流スイッチング電源装置の出力電圧が、別電源１６の電圧よりも高い場合に、別電源１６の電圧低下がないときにもトランジスタＴＲ３がオンすることを防止したものである。また、抵抗Ｒ５、Ｒ６を適宜設定して、トランジスタＴＲ３のオン電位を任意に設定することができる。
【００３５】
なお、この発明のフライバック式の同期整流スイッチング電源装置は前記実施形態に限定されるものではなく、別電源１６の充電を補助巻線Ｎ３からのみ行うものでも良い。さらに、その他適宜の他の回路を組み合わせたものでも良い。
【図面の簡単な説明】
【００３６】
【図１】この発明の第一実施形態の同期整流スイッチング電源装置の概略回路図である。
【図２】この発明の第二実施形態の同期整流スイッチング電源装置の概略回路図である。
【図３】従来のフライバック式同期整流スイッチング電源装置の概略回路図である。
【符号の説明】
【００３７】
１１，１２  入力端子
１３，１４  出力端子
１６  別電源
１８  制御回路
２０  電源回路
Ｃ３  タイミングコンデンサ
Ｎ１  １次巻線
Ｎ２  ２次巻線
Ｎ３  補助巻線
Ｑ１  インバータトランジスタ
Ｔ  トランス
ＴＲ１  同期整流用素子
ＴＲ２，ＴＲ３  トランジスタ
【図１】
2006121819.tif 000003
【図２】
2006121819.tif 000004
【図３】
2006121819.tif 000005